(57)【要約】      （修正有）【課題】設置及び維持コストを低減し、しかも火災時に消防士がベランダから室内へ進入しやすくしたベランダ緑化装置を提供する。【解決手段】高層建物１のベランダ２の天井２ａと床２ｂの間に複数本のフレーム３を所定間隔おいて縦横に架設し、その各フレーム３間の開口部に植生ネットを張設し、その植生ネットのベランダ２側の下方位置に植物Ｐを植え付けた栽培器７を設置し、その栽培器７の植物Ｐを植生ネットに絡ませて上方へ生長させることでベランダ２の開口部分を緑化できるようにする。また、ベランダ２の壁より高い位置のフレーム３間に人が出入りできる大きさの植生ネットの無い開口部分を形成し、その開口部分に植生ネットを枠体に張設した構造の扉５をフレーム３に対して開閉可能に枢支し、その扉５をベランダ２の外側から開錠操作できるロック機構を設ける。【選択図】図１
0003174610.tif 000002
【実用新案登録請求の範囲】
【請求項１】
高層建物のベランダの開口部分に複数本のフレームで支持された植生ネットを張設し、その植生ネットに植物を絡み付かせて上方へ生長させることでベランダの開口部分を緑化できるようにしたベランダ緑化装置であって、前記植生ネットに人が出入りできる大きさの開口部を形成し、その開口部に閉状態を保持するロック機構付きの扉を取り付け、その扉のロック機構をベランダの外側から解除できるようにしたことを特徴とする、ベランダ緑化装置。
【請求項２】
ロック機構が、ベランダの外側に設けて扉の閉状態をスライドによって解除可能に保持する開閉ピンと、その開閉ピンの先端部に挿抜可能に貫通して開閉ピンのスライドを規制する係止ピンとで構成したものである、請求項１記載のベランダ緑化装置。
【請求項３】
扉が、室内側へのみ開閉可能な構造である、請求項１又は２記載のベランダ緑化装置。
【請求項４】
扉が、枠体に植生ネットを張設した構造である、請求項１〜３いずれか記載のベランダ緑化装置。
【考案の詳細な説明】
【技術分野】
【０００１】
本考案は、高層建物のベランダの開口部分を緑化するベランダ緑化装置に関する。
【背景技術】
【０００２】
従来、建物の外側を緑化する方法としては、建物の壁面に作業用の足場を仮設し、植物を植え付けたプランターと植物を絡ませる植生ネットを壁面に対して設置し、その後足場を撤去する方法がある。しかし、この方法は作業後に足場を撤去する手間を要し、メンテナンス時はその都度足場を仮設・撤去しなければならず、設置及び維持コストがかかる問題があった。
【０００３】
これに対し、作業に足場を使用しない壁面緑化方法が特許文献１で提案されている。この技術は、格子状に組まれたＰＣ鋼線に植物を植え付けた多数のプランターを取り付け、そのＰＣ鋼線を建物の屋上から壁面を覆うように吊下して地上に固定している。しかし、この技術ではメンテナンス時に足場を仮設・撤去しなければならず、維持コストがかかる問題があった。
【０００４】
また、従来の各技術で使用する部材は、撤去時以外は恒久的に取り付けるものであるから、火災時に植生ネットやＰＣ鋼線が邪魔になって消防士が室内へ進入できないか又は迅速に進入し難くなり、消防活動の障害となる問題があった。
【先行技術文献】
【特許文献】
【０００５】
【特許文献１】特開２００２−２７２２７４号公報
【考案の概要】
【考案が解決しようとする課題】
【０００６】
本考案が解決しようとする課題は、従来のこれらの問題点を解消し、設置及び維持コストを低減し、しかも火災時に消防士がベランダから室内へ進入しやすくすることにある。
【課題を解決するための手段】
【０００７】
かかる課題を解決した本考案の構成は、
１）  高層建物のベランダの開口部分に複数本のフレームで支持された植生ネットを張設し、その植生ネットに植物を絡み付かせて上方へ生長させることでベランダの開口部分を緑化できるようにしたベランダ緑化装置であって、前記植生ネットに人が出入りできる大きさの開口部を形成し、その開口部に閉状態を保持するロック機構付きの扉を取り付け、その扉のロック機構をベランダの外側から解除できるようにしたことを特徴とする、ベランダ緑化装置
２）  ロック機構が、ベランダの外側に設けて扉の閉状態をスライドによって解除可能に保持する開閉ピンと、その開閉ピンの先端部に挿抜可能に貫通して開閉ピンのスライドを規制する係止ピンとで構成したものである、前記１）記載のベランダ緑化装置
３）  扉が、室内側へのみ開閉可能な構造である、前記１）又は２）記載のベランダ緑化装置
４）  扉が、枠体に植生ネットを張設した構造である、前記１）〜３）いずれか記載のベランダ緑化装置
にある。
【考案の効果】
【０００８】
本考案の前記１）及び２）記載の構成によれば、各部材がベランダ側で設置できる構造であるから、設置後に撤去する部材がなく、設置コストを低減できる。メンテナンスはベランダ側で任意の箇所を安全に作業でき、その都度足場を仮設・撤去する必要がなく、維持コストも低減できる。火災が発生した場合は、消防士がベランダの外側からロック機構を解除して扉を開放することで、室内へ迅速に進入して消防活動できる。
【０００９】
本考案の前記３）記載の構成によれば、扉が外側から押して開く構造であるから、安全に開放操作できる。外側へ引く方向に開く構造では、高所において危険性がある。
【００１０】
本考案の前記４）記載の構成によれば、平時においては、扉に対しても他のフレームと同様に植物が絡み付くことができ、扉の箇所も含めて満遍なく緑化できる。
【図面の簡単な説明】
【００１１】
【図１】実施例のベランダ緑化装置の側面図である。
【図２】実施例のベランダ緑化装置の正面図である。
【図３】実施例の緑化されたベランダの正面図である。
【図４】実施例の扉の開放を示す説明図である。
【考案を実施するための形態】
【００１２】
本考案の扉は、一般的な板状や格子状の他、枠体に植生ネットを張設して植物が絡み付きやすくした構造でも良い。扉の開き方としては、観音開き（両開き）の他、片開きでも良く、下向きに傾倒できる構造でも良い。また、その扉を取り付ける位置も、植生ネットの中央や左右いずれの位置でも良い。扉の開閉方向としては、ベランダの外側又は室内側いずれかの方向、あるいは両方向可能な構造でも良いが、力の入れやすさや安全面では室内側へのみ開閉できる構造が望ましい。扉のロック機構は、蛍光色など目立ちやすい色に着色して緊急時に消防士が識別しやすいようにしても良い。
【００１３】
フレーム及び扉の素材としては、溶融亜鉛メッキされたスチールやステンレス等の錆び難い耐候性に優れる材料が用いられる。植生ネットの素材としては、ポリエステル樹脂等の耐久性に優れ且つ植物が絡み付きやすい材料が用いられる。
【００１４】
植物としては、生長の速いゴーヤやアサガオ等のツル性の植物が用いられる。植物は、土壌を充填したプランターや育苗ポット等の栽培器に植え付けられ、これを植生ネットやフレームに直接掛止したり、ベランダの床に設置して用いられる。栽培器には水や液肥等を自動的に供給する手段を設けてもよい。以下、本考案の実施例を図面に基づいて具体的に説明する。
【実施例】
【００１５】
本実施例のベランダ緑化装置は、図１，２に示すように、高層建物１のベランダ２の天井２ａと床２ｂとの間に角パイプからなるフレーム３を縦横に配置し、その縦向きのフレーム３を滑り止め用のゴムを備えたアジャスター３ａで天井２ａと床２ｂに押し付けるとともに、固定具３ｂで壁２ｃにボルト止めしている。そのフレーム３間の開口部には植生ネット４を張設し、その植生ネット４の直下の床２ｂに植物Ｐを植え付けた栽培器７を土台８で所定高さに設置している。
【００１６】
壁２ｃより高い位置のフレーム３間には、人が出入りできる大きさ（幅１４５０ｍｍ、高さ１３４０ｍｍ）の植生ネット４の無い開口部を形成し、その開口部に矩形状の枠体５ａに植生ネット５ｂを張設した構造の２枚の扉５をフレーム３に対して蝶番５ｃで室内側へのみ観音開き可能に枢支している。２枚の扉５の対向位置には、穴を有する張出片６ａをベランダ２の外側となる面に突設し、先端に穴を有する開閉ピン６（ロック機構）を各張出片６ａの穴に連通し、その連通した状態の開閉ピン６の穴に係止ピン６ｂを上方から差し込んでいる。
【００１７】
本実施例では、栽培器７の植物Ｐが植生ネット４，５ｂに絡み付きながら上方へ生長すると、図３に示すように、扉５の箇所を含むベランダ２の開口部分が植物Ｐで覆われて緑化される。フレーム３や植生ネット４，５ｂのメンテナンスはベランダ２側で任意の箇所を容易に行え、撤去や新たな設置作業もベランダ２で安全に行える。また、植物Ｐへの水やりや施肥もベランダ２で安全に行える。開閉ピン６は室内側からの操作が行い難いから、子供などが扉５を安易に開閉できないようになっており、安全である。
【００１８】
火災が発生した場合は、消防士がハシゴ等で現場階上に移動し、係止ピン６ｂを引き抜いて開閉ピン６を片方の張出片６ａの穴から外し、図４に示すように扉５を室内側へ押して開放させることで、ベランダ２から室内へ迅速に進入して消防活動できる。植物Ｐの絡み付きが強い場合は、扉５を強く押して茎を切断するとよい。このときも、力を入れる方向が押す方向であるから、高所でも安全に開放操作できる。
【産業上の利用可能性】
【００１９】
本考案の技術は、電力需要の最も多い期間だけ遮熱して高層建物の蓄熱を低減する季節限定の温暖化防止策に有用である。
【符号の説明】
【００２０】
１    高層建物
２    ベランダ
２ａ  天井
２ｂ  床
２ｃ  壁
３    フレーム
３ａ  アジャスター
３ｂ  固定具
４    植生ネット
５    扉
５ａ  枠体
５ｂ  植生ネット
５ｃ  蝶番
６    開閉ピン（ロック機構）
６ａ  張出片
６ｂ  係止ピン
７    栽培器
８    土台
Ｐ    植物
【図１】
0003174610.tif 000003
【図２】
0003174610.tif 000004
【図３】
0003174610.tif 000005
【図４】
0003174610.tif 000006